(57)【要約】【課題】内層体のリーク試験を有利に行うことができる、打栓用の受け部を有する積層剥離容器を提供する。【解決手段】口部１１、胴部１２及び底部１３を備えたボトル形状の外層体２と、外層体２の内面に剥離可能に積層された減容変形自在の内層体３とを有し、口部１１に外層体２と内層体３との間に連なる外気導入口１４が設けられている積層剥離容器１であって、口部１１に位置する打栓用の受け部１５と、上面視で少なくとも受け部１５より外側に位置する環状平滑面２０と、上面視で環状平滑面２０の少なくとも外側に位置する非環状平滑面２１と、を有することを特徴とする積層剥離容器１。【選択図】図１
2019210003.tif 000002
【特許請求の範囲】
【請求項１】
筒状の口部、該口部に連なる胴部及び該胴部に連なる底部を備えたボトル形状の外層体と、前記外層体の内面に剥離可能に積層されて該外層体に対応した形状を成す減容変形自在の内層体とを有し、前記口部に前記外層体と前記内層体との間に連なる外気導入口が設けられている積層剥離容器であって、
前記口部に位置する打栓用の受け部と、
上面視で少なくとも前記受け部より外側に位置する環状平滑面と、
上面視で前記環状平滑面の少なくとも外側に位置する非環状平滑面と、を有することを特徴とする積層剥離容器。
【請求項２】
前記胴部が、前記受け部に連なるとともに下方に向けて拡径する肩部分と該肩部分に連なる外形が略一定の胴本体部分とを有し、前記環状平滑面が前記肩部分に設けられている、請求項１に記載の積層剥離容器。
【請求項３】
前記非環状平滑面は、上面視で前記環状平滑面の外側及び内側に位置する、請求項１又は２に記載の積層剥離容器。
【請求項４】
前記非環状平滑面の横断面形状は、多角形状である、請求項１〜３のいずれか一項に記載の積層剥離容器。
【請求項５】
前記非環状平滑面の横断面形状は、正多角形状である、請求項４に記載の積層剥離容器。
【請求項６】
前記非環状平滑面は、縦リブを有する、請求項１〜５のいずれか一項に記載の積層剥離容器。
【発明の詳細な説明】
【技術分野】
【０００１】
本発明は、ボトル形状の外層体の内面に減容変形自在の内層体が剥離可能に積層されてなる積層剥離容器に関し、特に、外層体と内層体との間に連なる外気導入口が口部に設けられているものに関する。
【背景技術】
【０００２】
化粧水などの化粧料、シャンプーやリンスあるいは液体石鹸などのトイレタリー、醤油等の食品調味料などを内容物として収納する容器として、ボトル形状の外層体と、外層体の内面に剥離可能に積層された減容変形自在の内層体とを有し、口部に外層体と内層体との間に連なる外気導入口が設けられた積層剥離容器（デラミ容器とも呼ばれる）が知られている（例えば特許文献１参照）。
【０００３】
積層剥離容器の口部には、例えば、内容物を注出する注出筒に逆止弁を備えるとともに、外気導入口を外部に連通させる開孔に逆止弁を備えた構成の注出キャップが装着される。このような注出キャップが装着された積層剥離容器は、胴部がスクイズ（押圧）されることで内容物を注出することができる一方、胴部のスクイズが解除されたときには、外気導入口から外層体と内層体との間に外気を導入して内層体を減容変形させたまま、すなわち内容物を外気と置換させることなく外層体のみを元の形状に復元させることができるので、内容物と外気との接触を抑制して、容器内に収容されている内容物の劣化や変質を抑制することができる。
【先行技術文献】
【特許文献】
【０００４】
【特許文献１】特開２００７−２９０７４６号公報
【発明の概要】
【発明が解決しようとする課題】
【０００５】
上記の構成を有する積層剥離容器は、その製造過程において、内層体の初期剥離処理が施されるのが一般的である。内層体の初期剥離処理は、ブロー成形により積層剥離容器を形成した後、口部から内層体の内部の空気を吸い出し、あるいは外気導入口から外層体と内層体の間の空間に空気を吹き込むことで、一旦、内層体を外層体から剥離させ、次いで、口部から内層体の内部に空気を供給して内層体を外層体の側に戻すことにより行われる。このような初期剥離処理を行うことで、内層体を外層体から剥離し易くして、内容物の注出後、外層体が元の形状へ復元する際に、内層体を外層体から確実に剥離させることができる。
【０００６】
また、このような初期剥離処理の後には、必要に応じて内層体のリーク（穴開き）の有無を確認するためのリーク試験を行うことができる。リーク試験は、外気導入口から外層体と内層体の間の空間に空気を吹き込んで当該空間を加圧し、口部への空気のリークによる当該空間の圧力の低下の有無を検出することで行うことも考えられるが、このような方法では内層体への負荷が大きくなり、内層体の破れ等を生じる虞がある。このため、外層体を外側から減圧して膨張させ、これによって外層体と内層体との間に隙間を形成し、この状態で内層体のリーク試験を行うことが望ましい。
【０００７】
このように外層体を外側から減圧するためには、外層体の外周面を外気導入口より下側の部分において全周に亘ってシールする環状シール部を備えるリーク試験用のハウジングを用いることができる。この場合、ハウジングは、下部ハウジングと、前記環状シール部を備えるとともに下部ハウジングに対して昇降可能な上部ハウジングとを有する構成とすることができる。そして、積層剥離容器を、口部の下部にシール用の環状段部を設けた構成とした場合には、上部ハウジングを下降させてその環状シール部を積層剥離容器の環状段部に密着させ、上部ハウジングを下部ハウジングに密着させることにより、外層体、上部ハウジング及び下部ハウジングによってリーク試験のための減圧空間を形成することができる。
【０００８】
このように、積層剥離容器が環状シール部を有する場合には、積層剥離容器が例えば、多角形状の横断面形状からなる胴部を有する角形ボトルである場合や円形の横断面形状を有するものの外気導入路を形成するための縦リブ等を有する構成である場合、すなわち、上面視で口部の外側に位置する非環状平滑面を有する場合でも、上述した方法でリーク試験を行うことができる。しかし、口部が打栓用の受け部（ネックリング）を有する場合には、このような方法でリーク試験を行うことは難しい。というのは、口部に外気導入口を有する積層剥離容器の場合、口部に位置するネックリングには、外気導入路を形成しやすくするために周方向の間欠部が設けられるので、ネックリングを上述した環状シール部として利用することはできないからである。
【０００９】
本発明は、このような問題点を解決することを課題とするものであり、その目的は、内層体のリーク試験を有利に行うことができる、打栓用の受け部を有する積層剥離容器を提供することにある。
【課題を解決するための手段】
【００１０】
本発明の積層剥離容器は、筒状の口部、該口部に連なる胴部及び該胴部に連なる底部を備えたボトル形状の外層体と、前記外層体の内面に剥離可能に積層されて該外層体に対応した形状を成す減容変形自在の内層体とを有し、前記口部に前記外層体と前記内層体との間に連なる外気導入口が設けられている積層剥離容器であって、前記口部に位置する打栓用の受け部と、上面視で少なくとも前記受け部より外側に位置する環状平滑面と、上面視で前記環状平滑面の少なくとも外側に位置する非環状平滑面と、を有することを特徴とする。
【００１１】
本発明の積層剥離容器は、上記構成において、前記胴部が、前記受け部に連なるとともに下方に向けて拡径する肩部分と該肩部分に連なる外形が略一定の胴本体部分とを有し、前記環状平滑面が前記肩部分に設けられているのが好ましい。
【００１２】
本発明の積層剥離容器は、上記構成において、前記非環状平滑面が、上面視で前記環状平滑面の外側及び内側に位置するのが好ましい。
【００１３】
本発明の積層剥離容器は、上記構成において、前記非環状平滑面の横断面形状が、多角形状であるのが好ましい。
【００１４】
本発明の積層剥離容器は、上記構成において、前記非環状平滑面の横断面形状が、正多角形状であるのが好ましい。
【００１５】
本発明の積層剥離容器は、上記構成において、前記非環状平滑面が、縦リブを有するのが好ましい。
【発明の効果】
【００１６】
本発明によれば、内層体のリーク試験を有利に行うことができる、打栓用の受け部を有する積層剥離容器を提供することができる。
【図面の簡単な説明】
【００１７】
【図１】本発明の一実施形態である積層剥離容器の側面図である。
【図２】図１に示す積層剥離容器の平面図である。
【図３】本発明の他の実施形態である積層剥離容器の側面図である。
【図４】図３に示す積層剥離容器の平面図である。
【発明を実施するための形態】
【００１８】
以下、図面を参照して、本発明をより具体的に例示説明する。
【００１９】
なお、本明細書、特許請求の範囲、及び要約書において、「上下方向」とは、図１に示す姿勢を基準とした上下方向を意味するものとし、すなわち「上方」とは図１における上方を意味し、「下方」とは、その反対方向を意味するものとする。
【００２０】
図１〜図２に示すように、本発明の一実施の形態である積層剥離容器１は、当該積層剥離容器１の外殻を構成する合成樹脂製の外層体２を有している。外層体２は、円筒状の口部１１と、口部１１に連なる胴部１２と、胴部１２に連なる底部１３とを備えたボトル形状を有しており、胴部１２は、口部１１の下端に連なるとともに下方に向けて拡径する肩部分１２ａと肩部分１２ａに連なる外径が略一定の胴本体部分１２ｂとを有している。胴部１２は所定の剛性を有しており、スクイズ（押圧）されて凹むことができるとともに、スクイズが解除されると凹んだ状態から元の形状に復元することができる。
【００２１】
外層体２の内側には内層体３が設けられている。内層体３は、合成樹脂材料により外層体２よりも薄肉の袋状に形成されており、外層体２の内面に剥離可能に積層されて外層体２の形状に対応した形状を成している。詳細は図示しないが、内層体３の開口部は、外層体２の口部１１の開口端に連ねられており、内層体３の内部はこの開口部に連なる収容空間Ｓとなっている。内層体３の内部すなわち収容空間Ｓには、例えば、化粧水などの化粧料、シャンプーやリンスあるいは液体石鹸などのトイレタリー、醤油等の食品調味料などの液体状の内容物を収容することができる。内層体３は減容変形自在となっており、内容物の注出に伴って外層体２の内面から剥離して収容空間Ｓの容積を減少させるように減容変形することができる。
【００２２】
ここで、内層体３が外層体２の内面に「剥離可能に積層されている」とは、外層体２の内面に接着、擬似接着ないし溶着された状態で積層されている内層体３が、当該外層体２に対して剥がれることができることだけでなく、外層体２の内面に単に密着状態で積層された内層体３が、当該外層体２に対して離れることを含む。
【００２３】
なお、外層体２と内層体３との間に、口部１１から底部１３にまで延びる細長い帯状の接着帯を設けて、当該接着帯の部分で外層体２と内層体３とを互いに接着した構成とすることもできる。接着帯は、積層剥離容器１の周方向の一方側に設けられていれば、１本であってもよいし、２本以上であってもよく、例えば、パーティングラインを挟んで２本設けることができる。
【００２４】
積層剥離容器１は、相溶性の低い外層体用の合成樹脂材料と、内層体用の合成樹脂材料とを共押出して積層パリソンを形成し、この積層パリソンを、金型を用いてブロー成形することにより、外層体２の内面に内層体３が剥離可能に積層された積層構造に形成されている。なお、積層剥離容器１は、予め射出成形等によって形成された積層構造のプリフォームを二軸延伸ブロー成形して形成されたものとすることもできる。
【００２５】
口部１１には、例えば、内容物を注出する注出筒に逆止弁を備えた構成の注出キャップ等の注出具（図示省略）が打栓によって装着され、この注出具を介して、内容物が注出される。このような積層剥離容器１は、口部１１に上記構成の注出キャップを装着した場合には、外層体２の胴部１２をスクイズすることによって、口部１１から内容物を注出することができる。内容物の注出後、外層体２が元の形状に復元する際には、後述する外気導入口１４から外層体２と内層体３との間に外気が流入するので、内層体３の収容空間Ｓを減容変形させたまま外層体２を元の形状に復元させることができる。したがって、内容物を注出した後に、口部１１から内層体３の収容空間Ｓへ外気が流入することをなくし、これにより収容空間Ｓに収容された内容物が空気に触れることを抑制して、その劣化や変質を防止することができる。
【００２６】
なお、口部１１に注出具としてポンプ、あるいは外層体２を傾けることによって内層体３の収容空間Ｓに収容した内容物を自重で口部１１から注出させる構成の注出キャップなどの他の構成の注出具を装着することもできる。
【００２７】
口部１１には、該口部１１に注出具を打栓によって装着するための係止突起１１ａが設けられている。係止突起１１ａは、注出具の装着筒の内周面に設けられた係止溝とアンダーカット係合することで、注出具を口部１１に係止することができる。係止突起１１ａは、上面視において、積層剥離容器１ないし口部１１の中心軸線Ｏを挟んで対向する２箇所に間欠部を有する一対の円弧状に形成されている。
【００２８】
外層体２の口部１１には一対の外気導入口１４が設けられている。これらの外気導入口１４はそれぞれ円形に形成され、係止突起１１ａの間欠部に配置されて中心軸線Ｏを挟んで互いに対称に配置されている。これらの外気導入口１４は、それぞれ外層体２を貫通して外層体２と内層体３との間に連通しており、内層体３が外層体２から剥離したときに外層体２と内層体３との隙間に外気を導入することができる。なお、口部１１の外気導入口１４が設けられる部分、すなわち係止突起１１ａの間欠部は平坦に面取りされている。
【００２９】
口部１１の下部には打栓用の受け部（ネックリング）１５が設けられている。ネックリング１５は、口部１１の外周面から径方向外側に突出するとともに周方向に延びている。また、ネックリング１５には、周方向の複数位置に切欠き部１５ａが設けられている。本実施の形態では、それぞれの外気導入口１４に対応して２箇所ずつ、合計４箇所に切欠き部１５ａが設けられている。これらの切欠き部１５ａは、外気導入口１４の斜め下方に位置している。口部１１にネックリング１５が設けられることにより、注出キャップ等の注出具を口部１１に打栓によって装着する際に、ネックリング１５に打栓用の係止具を係止させることができる。
【００３０】
胴部１２の肩部分１２ａには、上面視でネックリング１５より外側に位置する円錐状の環状平滑面２０が設けられている。環状平滑面２０は、周方向の全周に亘って連続して延在する平滑な面からなっていれば、円錐状に限られない。環状平滑面２０は、本実施の形態ではその全体が上面視でネックリング１５より外側に位置しているが、少なくとも一部が上面視でネックリング１５より外側に位置していればよい。また、胴部１２には、上面視で環状平滑面２０の外側及び内側に位置する非環状平滑面２１が設けられている。本実施の形態では、非環状平滑面２１の横断面形状（口部１１の中心軸線Ｏと垂直な断面における形状）は、正１０角形である。しかし、非環状平滑面２１の横断面形状は、正１０角形以外の正多角形であってもよいし、正多角形の各辺が径方向外側に膨出するように湾曲した正多角形状であってもよい。また、非環状平滑面２１の横断面形状は、正多角形以外の多角形であってもよいし、多角形の各辺が径方向外側に膨出するように湾曲した多角形状であってもよい。本実施の形態では、非環状平滑面２１が、横断面形状が多角形状であることによって平滑でない環状面を形成している一方、環状平滑面２０が、横断面形状が円形であるとともに縦リブ等の凹凸形状部を有していないことによって平滑な環状面を形成している。なお、環状平滑面２０の横断面形状は円形に限られず、楕円形であってもよい。非環状平滑面２１は、本実施の形態では胴部１２における環状平滑面２０を除く部分の略全体に亘って設けられているが、このような構成に限られず、例えば肩部分１２ａのみに設けられてもよい。
【００３１】
本実施の形態では、非環状平滑面２１は、下方に向けて横断面形状が一定のストレートな多角錐状（部分的には多角柱状）をなしているが、下方に向けて横断面形状が捩れるように変化する捩れ多角錐状（部分的には捩れ多角柱状）をなしていてもよい。なお、環状平滑面２０と非環状平滑面２１との間には、非環状平滑面２１を構成する各平面部分と環状平滑面２０を構成する曲面（円錐面）部分とを連結するために各平面部分から膨出する膨出部２２が設けられている。膨出部２２は、周方向の１０箇所に２つずつ設けられているが、図１〜図２において膨出部２２の符号は周方向の１箇所のみに示している。
【００３２】
このような構成を有する積層剥離容器１では、上面視でネックリング１５より外側に位置する環状平滑面２０と、上面視で環状平滑面２０の外側に位置する非環状平滑面２１とを設けるようにしたので、ネックリング１５を有するにも関わらず、内層体３の初期剥離処理を行った後、前述した内層体３のリーク試験を有利に行うことができる。すなわち、リーク試験用のハウジング（図示省略）を構成する上部ハウジングを下降させて、当該上部ハウジングの環状シール部を積層剥離容器１の環状平滑面２０に密着させ、上部ハウジングを下部ハウジングに密着させることにより、外層体２、上部ハウジング及び下部ハウジングによってリーク試験のための減圧空間を形成することができる。
【００３３】
また、本実施の形態では、非環状平滑面２１が、上面視で環状平滑面２０の外側及び内側に設けられているので、形状ないし構成が複雑となる胴部１２の環状平滑面２０と非環状平滑面２１との連結部（膨出部２２）の周辺においては、外層体２と内層体３とを密着させることなく当該外層体２と内層体３との間に隙間を生じさせることができる。すなわち、初期剥離処理及びその後のリーク試験を経た積層剥離容器１は、胴部１２における外層体２と内層体３との間に、少なくとも環状平滑面２０と非環状平滑面２１との連結部周辺に隙間が設けられた構成のものとなる。
【００３４】
例えば、積層剥離容器１をブロー成形により形成した後、口部１１から内層体３の内部の空気を吸い出し、あるいは外気導入口１４から外層体２と内層体３の間の空間に空気を吹き込むことで、一旦、内層体３を外層体２から剥離させ、次いで、口部１１から内層体３の内部に空気を供給して内層体３を外層体２に積層された元の状態に戻すことにより内層体３の初期剥離処理を行うことができる。この初期剥離処理、及びその後のリーク試験を経た後に、外層体２から剥離された内層体３は、外層体２の内面に再度積層されることになるが、その際、外層体２の環状平滑面２０と非環状平滑面２１との連結部周辺と、内層体３の環状平滑面２０と非環状平滑面２１との連結部周辺との間に位置ずれが生じ、これにより、内層体３が外層体２の内面に密着することが困難となる。その結果、外層体２と内層体３との間に隙間が生じ、当該部分において内層体３が外層体２から剥離し易くなる。
【００３５】
また、このような初期剥離処理後には、内層体３は、初期剥離処理前の多角形状の横断面形状に戻りきらずに、外層体２との間に隙間を形成することができる。特に、積層剥離容器１が外層体２と内層体３との間に接着帯を設けた構成である場合には、初期剥離処理を行うことにより、接着帯が形成されている平坦面部分、又は上面視で当該平坦面部分に隣接する平坦面部分の外層体２と内層体３との間に隙間を生じさせることができる。これは、接着帯から遠い平坦面部分に内層体３が接した状態となる一方、接着帯に近い部分では初期剥離処理において生じる接着帯の塑性変形によって平坦面部分への内層体３の密着が抑制されるからである。このように、本実施の形態では、非環状平滑面２１の横断面形状が多角形状であるため、初期剥離処理及びその後のリーク試験を経た積層剥離容器１は、外層体２と内層体３との間に、環状平滑面２０と非環状平滑面２１との連結部周辺から上下方向に延在する隙間が設けられた構成のものとなる。
【００３６】
したがって、外層体２をスクイズして内容物を注出させた後、外層体２が元の形状へ復元する際に、内層体３を外層体２から確実に剥離させることができる。また、環状平滑面２０は肩部分１２ａに設けられているので、環状平滑面２０と環状非平滑面２１との連結部周辺に生じた隙間により、外気導入口１４から底部１３の側に向けた外気導入路が効果的に形成されることになる。したがって、内容物を注出させた後、外層体２が元の形状へ復元する際に、外気導入口１４から外層体２と内層体３との間に吸い込まれた外気を、胴部１２の環状平滑面２０と環状非平滑面２１との連結部周辺に生じた隙間を含む外気導入路を通して底部１３の側にまで確実に流入させることができる。よって、内容物の注出後、外層体２が元の形状へ復元する際に、内層体３をその底部１３の側から胴部１２の側に向けて外層体２から確実に剥離されるようにして、内層体３の収容空間Ｓの内部に外気が導入されることを確実に防止することができる。また、内層体３が外層体２から容易に剥離することにより、スクイズされた外層体２が確実に元の形状に戻ることができるようにして、外層体２の変形を防止することもできる。
【００３７】
さらに、本実施の形態のように、口部１１の下端にネックリング１５が設けられた構成であっても、ネックリング１５の外気導入口１４の斜め下方の部分に切欠き部１５ａを設け、切欠き部１５ａが設けられた部分において内層体３を外層体２から剥離し易くすることにより、外気導入口１４から環状平滑面２０と非環状平滑面２１との連結部周辺に生じた隙間へと確実に外気を導入させることができる。
【００３８】
図３は、本発明の他の実施形態である積層剥離容器の側面図である。また、図４は、図３に示す積層剥離容器の平面図である。なお、図３〜図４においては、前述した部材に対応する部材には同一の符号を付してある。
【００３９】
図３〜図４に示すように、積層剥離容器１は、非環状平滑面２１が縦リブ２３を有する構成とすることもできる。縦リブ２３は、本実施の形態では上下方向に延在する凹リブ状をなしているが、上下方向に延在する凸リブ状をなしていてもよい。図３〜図４には、横断面形状は円形であるが縦リブ２３を有することによって平滑でない環状面を形成する非環状平滑面２１を設けた場合を示す。なお、図３〜図４においては、非環状平滑面２１の外縁が二点鎖線で示されている。非環状平滑面２１は、本実施の形態では上面視で環状平滑面２０の外側と内側に設けられている。また、非環状平滑面２１は、本実施の形態では肩部分１２ａのみに設けられているが、肩部分１２ａ及び胴本体部分１２ｂに設けられてもよい。なお、非環状平滑面２１は、縦リブ２３を有するとともに横断面形状が多角形状の構成であってもよい。
【００４０】
本実施の形態では、環状平滑面２０より上面視で内側においては、それぞれの外気導入口１４に対応して２箇所ずつ、合計４箇所に縦リブ２３が設けられている。また、環状平滑面２０より上面視で外側においては、それぞれの外気導入口１４に対応して４箇所ずつ、合計８箇所に縦リブ２３が設けられている。また、それぞれの外気導入口１４に対応して環状平滑面２０より上面視で外側に位置する４箇所のうち周方向内側の２箇所の縦リブ２３は、その上面視で内側に位置する縦リブ２３の延長線上に設けられている。しかし、縦リブ２３の数及び配置は適宜変更が可能である。
【００４１】
このような構成を有する積層剥離容器１では、前述した実施の形態の場合と同様に、内層体３の初期剥離処理を行った後、内層体３のリーク試験を有利に行うことができる。また、本実施の形態では、非環状平滑面２１が、上面視で環状平滑面２０の外側及び内側に設けられているので、内層体３の初期剥離処理及びその後のリーク試験を行った後に、非環状平滑面２１における縦リブ２３が設けられた部分において内層体３を外層体２の内面に密着させずに隙間を形成しつつ、さらに形状ないし構成が複雑となる胴部１２の環状平滑面２０と非環状平滑面２１との連結部（縦リブ２３の端部）の周辺においては、外層体２と内層体３とを密着させることなく当該外層体２と内層体３との間に隙間を生じさせることができる。すなわち、初期剥離処理及びその後のリーク試験を経た積層剥離容器１は、胴部１２における外層体２と内層体３との間に、環状平滑面２０と非環状平滑面２１との連結部周辺から上下方向に延在する隙間が設けられた構成のものとなる。
【００４２】
したがって、内容物の注出後、外層体２が元の形状へ復元する際に、外気導入口１４から外層体２と内層体３との間に吸い込まれた外気を、縦リブ２３の部分の隙間と、環状平滑面２０と非環状平滑面２１との連結部の周辺の隙間とを含む外気導入路を通して底部１３の側にまで確実に流入させて、外層体２が元の形状へ復元する際に、内層体３をその底部１３の側から胴部１２の側に向けて外層体２から確実に剥離されるようにすることができる。
【００４３】
本発明は前記実施の形態に限定されるものではなく、その要旨を逸脱しない範囲で種々変更可能であることはいうまでもない。
【００４４】
例えば、前述した各実施の形態では、非環状平滑面２１は、上面視で環状平滑面２０の外側及び内側に設けられているが、上面視で環状平滑面２０の外側のみに設けられてもよい。
【符号の説明】
【００４５】
１    積層剥離容器
２    外層体
３    内層体
１１    口部
１１ａ  係止突起
１２    胴部
１２ａ  肩部分
１２ｂ  胴本体部分
１３    底部
１４    外気導入口
１５    ネックリング（受け部）
１５ａ  切欠き部
２０  環状平滑面
２１  非環状平滑面
２２  膨出部
２３  縦リブ
Ｓ    収容空間
Ｏ    中心軸線
【図１】
2019210003.tif 000003
【図２】
2019210003.tif 000004
【図３】
2019210003.tif 000005
【図４】
2019210003.tif 000006